【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
物体側から像側へ順に配置された、負の屈折力の第１レンズＧ１、負の屈折力のレンズＬ１Ａと負の屈折力のレンズＬ１Ｂよりなるレンズ群ＬＮ１、複数のレンズよりなるレンズ群ＬＰ１ａ、開口絞り、複数のレンズよりなるレンズ群ＬＰ１ｂ、共に負の屈折力のレンズＬ２ＡとレンズＬ２Ｂよりなるレンズ群ＬＮ２、を有する結像光学系であって、
前記レンズ群ＬＰ１ａと前記レンズ群ＬＰ１ｂの合成の屈折力は正であり、
前記レンズＬ１Ａと前記レンズＬ１Ｂとで両凸形状の空気レンズＫ１が構成され、
前記レンズＬ２Ａと前記レンズＬ２Ｂとで負の屈折力の空気レンズＫ２が構成され、
無限遠物体に合焦しているときの、前記レンズＬ１Ｂの像側のレンズ面から前記開口絞りまでの距離をＤ１、前記開口絞りから前記レンズＬ２Ａの物体側のレンズ面までの距離をＤ２、前記開口絞りから結像面までの距離をＤＫとするとき、
０．３０＜Ｄ１／ＤＫ＜０．７０
０．３５＜Ｄ２／ＤＫ＜０．７５
なる条件式を満たすことを特徴とする結像光学系。
【請求項２】
前記レンズＬ２Ｂの、物体側のレンズ面は、負の屈折力を強める非球面形状または正の屈折力を弱める非球面形状であることを特徴とする請求項１に記載の結像光学系。
【請求項３】
前記レンズＬ１Ａの、物体側のレンズ面は負の屈折力を弱める非球面形状であることを特徴とする請求項１または２に記載の結像光学系。
【請求項４】
前記レンズＬ１Ｂは、非球面形状のレンズ面を有することを特徴とする請求項１乃至３のいずれか１項に記載の結像光学系。
【請求項５】
前記レンズＬ２Ａは非球面形状のレンズ面を有することを特徴とする請求項１乃至４のいずれか１項に記載の結像光学系。
【請求項６】
前記レンズＬ２Ｂの、像側のレンズ面は負の屈折力を弱める非球面形状または正の屈折力を強める非球面形状であることを特徴とする請求項１乃至５のいずれか１項に記載の結像光学系。
【請求項７】
前記結像光学系の焦点距離をｆ、前記空気レンズＫ１の焦点距離をｆＫ１とするとき、
−１．２０＜ｆ／ｆＫ１＜−０．２８
なる条件式を満たすことを特徴とする請求項１乃至６のいずれか１項に記載の結像光学系。
【請求項８】
前記結像光学系の焦点距離をｆ、該空気レンズＫ２の焦点距離をｆＫ２とするとき、
−０．６０＜ｆ／ｆＫ２＜−０．１５
なる条件式を満たすことを特徴とする請求項１乃至７のいずれか１項に記載の結像光学系。
【請求項９】
前記結像光学系のレンズ全長をＤＴ、前記結像光学系に含まれるレンズ間隔のうち最大のレンズ間隔をｄｍａｘとするとき、
０．０４＜ｄｍａｘ／ＤＴ＜０．２５
なる条件式を満たすことを特徴とする請求項１乃至８のいずれか１項に記載の結像光学系。
【請求項１０】
前記結像光学系のレンズ全長をＤＴ、前記結像光学系のバックフォーカスをＢＫとするとき、
０．０２０＜ＢＫ／ＤＴ＜０．１７０
なる条件式を満たすことを特徴とする請求項１乃至９のいずれか１項に記載の結像光学系。
【請求項１１】
前記結像光学系の焦点距離をｆ、前記結像光学系のレンズ全長をＤＴ、前記結像光学系のＦナンバーをＦｎｏとするとき、
０．０８＜ｆ／ＤＴ×Ｆｎｏ＜０．３０
なる条件式を満たすことを特徴とする請求項１乃至１０のいずれか１項に記載の結像光学系。
【請求項１２】
前記結像光学系は、
０．６５＜Ｄ１／Ｄ２＜１．２０
なる条件式を満たすことを特徴とする請求項１乃至１１のいずれか１項に記載の結像光学系。
【請求項１３】
前記レンズＬ１Ａの像側のレンズ面の近軸曲率半径をＲ１Ａ、前記レンズＬ１Ｂの物体側のレンズ面の近軸曲率半径をＲ１Ｂとするとき、
０．０２０＜１／Ｒ１Ａ−１／Ｒ１Ｂ＜０．１１０
なる条件式を満たすことを特徴とする請求項１乃至１２のいずれか１項に記載の結像光学系。
【請求項１４】
前記レンズＬ２Ａの像側のレンズ面の近軸曲率半径をＲ２Ａ、前記レンズＬ２Ｂの物体側のレンズ面の近軸曲率半径をＲ２Ｂとするとき、
０．０１０＜１／Ｒ２Ａ−１／Ｒ２Ｂ＜０．０６５
なる条件式を満たすことを特徴とする請求項１乃至１３のいずれか１項に記載の結像光学系。
【請求項１５】
前記レンズＬ１Ａの物体側のレンズ面から前記レンズＬ１Ｂの像側のレンズ面までの距離をＤ１ｔ、前記レンズＬ１Ａの像側のレンズ面から前記レンズＬ１Ｂの物体側のレンズ面までの距離をＤ１ｄとするとき、
０．５０＜Ｄ１ｄ／Ｄ１ｔ＜０．９０
なる条件式を満たすことを特徴とする請求項１乃至１４のいずれか１項に記載の結像光学系。
【請求項１６】
前記レンズＬ２Ａの物体側のレンズ面から前記レンズＬ２Ｂの像側のレンズ面までの距離をＤ２ｔ、前記レンズＬ２Ａの像側のレンズ面から前記レンズＬ２Ｂの物体側のレンズ面までの距離をＤ２ｄとするとき、
０．３０＜Ｄ２ｄ／Ｄ２ｔ＜０．８０
なる条件式を満たすことを特徴とする請求項１乃至１５のいずれか１項に記載の結像光学系。
【請求項１７】
前記結像光学系の焦点距離をｆ、前記結像光学系のレンズ全長をＤＴとするとき、
０．０８＜ｆ／ＤＴ＜０．２４
なる条件式を満たすことを特徴とする請求項１乃至１６のいずれか１項に記載の結像光学系。
【請求項１８】
フォーカシングに際して前記開口絞りよりも像側に配置された少なくとも一部のレンズが移動することを特徴とする請求項１乃至１７のいずれか１項に記載の結像光学系。
【請求項１９】
フォーカシングに際して前記レンズ群ＬＰ１ａの一部のレンズ部ＬＦ１と前記レンズ群ＬＰ１ｂと前記レンズ群ＬＮ２が移動することを特徴とする請求項１乃至１８のいずれか１項に記載の結像光学系。
【請求項２０】
無限遠から近距離へのフォーカシングに際して、前記レンズ部ＬＦ１は物体側へ移動するとともに、前記レンズ群ＬＰ１ｂと前記レンズ群ＬＮ２は一体的に物体側へ前記レンズ部ＬＦ１とは異なった速度で移動することを特徴とする請求項１９に記載の結像光学系。
【請求項２１】
前記レンズＬ２Ｂの像側に正の屈折力のレンズを有することを特徴とする請求項１乃至２０のいずれか１項に記載の結像光学系。
【請求項２２】
前記レンズ群ＬＰ１ｂは、接合レンズと、該接合レンズの像側に配置された１または２の正レンズで構成され、
前記接合レンズは物体側から像側へ順に配置された正レンズと負レンズと正レンズが接合されて構成されることを特徴とする請求項１乃至２１のいずれか１項に記載の結像光学系。
【請求項２３】
請求項１乃至２２のいずれか１項に記載の結像光学系と、該結像光学系を介して形成された光学像を受光する撮像素子と、を有することを特徴とする撮像装置。
【手続補正２】
【補正対象書類名】明細書
【補正対象項目名】０００８
【補正方法】変更
【補正の内容】
【０００８】
本発明の結像光学系は、物体側から像側へ順に配置された、負の屈折力の第１レンズＧ１、負の屈折力のレンズＬ１Ａと負の屈折力のレンズＬ１Ｂよりなるレンズ群ＬＮ１、複数のレンズよりなるレンズ群ＬＰ１ａ、開口絞り、複数のレンズよりなるレンズ群ＬＰ１ｂ、負の屈折力のレンズＬ２ＡとレンズＬ２Ｂよりなるレンズ群ＬＮ２、を有する結像光学系であって、
前記レンズ群ＬＰ１ａと前記レンズ群ＬＰ１ｂの合成の屈折力は正であり、前記レンズＬ１Ａと前記レンズＬ１Ｂとで両凸形状の空気レンズＫ１が構成され、前記レンズＬ２Ａと前記レンズＬ２Ｂとで負の屈折力の空気レンズＫ２が構成され、
無限遠物体に合焦しているときの、前記レンズＬ１Ｂの像側のレンズ面から前記開口絞りまでの距離をＤ１、前記開口絞りから前記レンズＬ２Ａの物体側のレンズ面までの距離をＤ２、前記開口絞りから結像面までの距離をＤＫとするとき、
０．３０＜Ｄ１／ＤＫ＜０．７０
０．３５＜Ｄ２／ＤＫ＜０．７５
なる条件式を満たすことを特徴としている。